(57)【要約】【課題】防水シートに孔を空けることなく下地に固定することができ、また防水シートの固定も全面で融着することができ、しかも水切り部材に積層した融着層の劣化を防止しして経年の外観の低下を抑制することができる水切り部材および防水シート端部の固定構造を提供する。【解決手段】建築物のパラペット１などに防水シート４を固定する際に用いる、鋼板の少なくとも片面に融着層を被覆した水切り部材５において、下地に固定する平板部５ａと該平板部から延設された下地端部外側壁１ｃに沿わせる水切り片５ｂとからなり、表面に融着層７を介在して加硫ゴムシート８を積層被覆しており、水切り片５ｂにおいても融着層７は加硫ゴムシート８によって覆われているので水切り部材５の経年劣化を防止することができるようになっている。【選択図】図２
2008106599.tif 000002
【特許請求の範囲】
【請求項１】
建築物のパラペットなどの下地端部に防水シートを固定する際に用いる、金属板からなる水切り部材において、下地に固定する平板部と該平板部から延設された下地端部外側壁に沿わせる水切り片とからなり、該水切り部材の少なくとも表面側には加硫ゴムシートを積層被覆してなることを特徴とする水切り部材。
【請求項２】
水切り部材は金属板の表面に融着層を介在して加硫ゴムシートを融着することで積層被覆してなる請求項１記載の水切り部材。
【請求項３】
水切り部材を構成する鋼板が溶融亜鉛メッキ鋼板である請求項１〜２記載の水切り部材。
【請求項４】
融着層は、融点が８５〜１８０℃の熱可塑性樹脂からなるそうである請求項１〜３記載の水切り部材。
【請求項５】
建築物のパラペットなどの下地端部に施す防水シート端部の固定構造において、下地に固定する平板部と該平板部から延設された下地端部外側壁に沿わせる水切り片からなる水切り部材として金属板の少なくとも片面に加硫ゴムシートを被覆したものを用い、該水切り部材の平板部を下地端部にアンカー部材で固着し、少なくとも端部の裏面に融着層を被覆した加硫ゴム製の防水シートを前記平板部表面の加硫ゴムシートに重ねて熱融着してなることを特徴とする防水シート端部の固定構造。
【請求項６】
水切り部材は金属板の表面に融着層を介在して加硫ゴムシートを融着することで積層被覆してなる請求項５記載の防水シート端部の固定構造。
【請求項７】
水切り部材を構成する鋼板が溶融亜鉛メッキ鋼板である請求項５〜６記載の防水シート端部の固定構造。
【請求項８】
融着層は、融点が８５〜１８０℃の熱可塑性樹脂からなるそうである請求項５〜７記載の防水シート端部の固定構造。
【発明の詳細な説明】
【技術分野】
【０００１】
建築物に防水シートを敷設することによって防水を施す際の、パラペットにおける防水シートの仕舞に関するものであり、防水シート端部からの浸水や風の吹き込みを防止した水切り部の外観の劣化を防止した水切り部材および防水シート端部の固定構造に関する。
【背景技術】
【０００２】
従来、パラペットなど下地端部における防水シート端部を収める防水構造は例えば塩化ビニル樹脂製の防水シートを用いていた場合、塩化ビニル樹脂を積層した鋼板からなる略Ｌ字形状の水切り部材をパラペット頂部に配置して、ボルトやビスなどを用いて下地に打ち込み固定し、その上から防水シートを融着する、もしくは防水シートを先にパラペット頂部に敷いてその上から水切り部材を配置して、やはりボルトやビスなどを用いて下地に打ち込み固定するといった方法で固定していた。
【０００３】
Ｌ字形状の水切り部材は、パラペット頂部にビスなどで打ち付ける平板部とパラペット外側の壁を覆う水切り片とからなっており、水切り片によって防水シートと下地との間に雨水が浸水することや、風が吹き込むことを防止していた。
【０００４】
【特許文献１】実公平６−３９６４６号公報
【特許文献２】実公平６−４０７４６号公報
【発明の開示】
【発明が解決しようとする課題】
【０００５】
防水シートを下地に先に敷いてその上から水切り部材をあててビス等で所定間隔で固定した場合、まずは、防水シートに孔を空けてしまうということがある。次に下地に微小であっても不陸がある場合には水切り部材の平板部全体で防水シートを押さえつけているわけではなく、所定間隔で打ち込んだビスの周囲だけで押さえつけられ固定されているということになってしまう。また、金属製の水切り部材は、例えばビスでパラペット頂部に固定した場合、固定した後に熱膨張などが原因で、固定ピッチ間で撓んでしまうことがおおく、水切り部材とモルタル頂部と隙間が開いてしまうといったことがある。
【０００６】
そうすると、風が水切り部材とパラペット頂部と間から防水シートと下地との間に吹き込んで防水シートが飛ばされてしまったとり、雨水が防水シートの下に浸水して建物の漏水事故を起してしまうといった問題が発生していた。
【０００７】
一方、水切り部材をパラペット頂部に先にビスなどで固定し、その上から防水シートを融着する場合には、水切り部材表面に融着層を設けておく必要があるが、防水シートを融着する平板部のみに融着層を設けるのは製造工程が複雑になりコスト面で不利なってしまう。よって、防水シートを融着する平板部のみならず水切り片の部分にも融着層を設けることになる。すると水切り片の部分には防水シートを融着することはないので融着層が表面に露出することになる。しかし、融着層となる樹脂層は比較的耐候性に劣ることから早期に劣化が始まって、性能上の問題はないものの外観を頗る損なうこととなる。
【０００８】
そこで、防水シートの固定は下地に固着した水切り部材に熱融着にて行うので、防水シートに孔を空けることなく下地に固定することができ、また防水シートの固定も全面で融着することができ、しかも水切り部材に積層した融着層の劣化を防止しして経年の外観の低下を抑制することができる水切り部材および防水シート端部の固定構造の提供を目的とする。
【課題を解決するための手段】
【０００９】
本発明の請求項１は、前記のような目的を達成するために建築物のパラペットなどの下地端部に防水シートを固定する際に用いる、金属板の少なくとも片面に融着層を被覆した水切り部材において、下地に固定する平板部と該平板部から延設された下地端部外側壁に沿わせる水切り片とからなり、該水切り部材の少なくとも表面側には加硫ゴムシートを積層被覆してなることを特徴とする。
【００１０】
請求項２では、水切り部材は金属板の表面に融着層を介在して加硫ゴムシートを融着することで積層被覆してなる請求項１記載の水切り部材としている。
【００１１】
請求項３では、水切り部材を構成する鋼板が溶融亜鉛メッキ鋼板である請求項１〜２記載の水切り部材としている。
【００１２】
請求項４では融着層は、融点が８５〜１８０℃の熱可塑性樹脂からなるそうである請求項１〜３記載の水切り部材としている。
【００１３】
請求項５では、建築物のパラペットなどの下地端部に施す防水シート端部の固定構造において、下地に固定する平板部と該平板部から延設された下地端部外側壁に沿わせる水切り片からなる水切り部材として金属板の少なくとも片面に加硫ゴムシートを被覆したものを用い、該水切り部材の平板部を下地端部にアンカー部材で固着し、少なくとも端部の裏面に融着層を被覆した加硫ゴム製の防水シートを前記平板部表面の加硫ゴムシートに重ねて熱融着してなることを特徴とする。
【００１４】
請求項６では、水切り部材は金属板の表面に融着層を介在して加硫ゴムシートを融着することで積層被覆してなる請求項５記載の防水シート端部の固定構造としている。
【００１５】
請求項７では、水切り部材を構成する鋼板が溶融亜鉛メッキ鋼板である請求項５〜６記載の防水シート端部の固定構造としている。
【００１６】
請求項８では融着層は、融点が８５〜１８０℃の熱可塑性樹脂からなるそうである請求項５〜７記載の防水シート端部の固定構造としている。
【発明の効果】
【００１７】
請求項１では、表面に加硫ゴムシートを被覆した水切り部材を用いているので、水切り部材自身の耐候性は高く長期にわたって外面の面でも性能の面でも劣化することなく使用することができる。また、該水切り部材に固定する防水シートが加硫ゴム製の防水シートに樹脂層を設けることで熱融着することができるので、比較的容易に水密性の高い防水構造とすることができる。
【００１８】
請求項２では、水切り部材を構成する金属板の表面に融着層となる樹脂層を介在して加硫ゴムシートを融着しており、剥がれの心配のない強度の高い被覆をすることができる。
【００１９】
請求項３水切り部材を構成する鋼板を溶融亜鉛メッキ鋼板としており、鋼板自身の耐候性を高めることができる。
【００２０】
請求項４では、請求項１と同様に表面に加硫ゴムシートを被覆した水切り部材を用いているので、水切り部材自身の耐候性は高く長期にわたって外面の面でも性能の面でも劣化することなく使用することができる。また、該水切り部材に固定する防水シートが加硫ゴム製の防水シートに樹脂層を設けることで熱融着することができるので、比較的容易に水密性の高い防水構造とすることができる。
【００２１】
請求項５は、水切り部材を構成する金属板の表面に融着層を介在して加硫ゴムシートを融着しており、剥がれの心配のない強度の高い被覆をすることができる。
【発明を実施するための最良の形態】
【００２２】
図１は、本発明における防水シート端部の固定構造を施す箇所を示す斜視図であり、図２は防水シート端部の固定構造を示す断面図、図３は本発明の水切り部材の断面図である。屋上の外周は、通常数十センチメートル程度の高さを持ったパラペットが配置されており、下地端部がパラペットとなっている状態を例にあげて説明する。よって、以下説明する中で下地端部はパラペット１、水切り部材を配置する下地がパラペット頂部１ｂ、水切り片を沿わせる下地端部外側壁はパラペット外側壁１ｃとなる。
【００２３】
本発明の防水シート端部の固定構造は、図１に示すように建築物の屋上などで外周に配置されているパラペット１における防水シートの端部から雨水などが浸入しないように防水を施すものであって、図２に示すように下地３の平場部Ｒに敷設された防水シート２はパラペット１の下端まで敷設しており、パラペット内側壁１ａには別の防水シート４を平場Ｒに敷設した防水シート２と重ね合わせた上でパラペット内側壁１ａに沿って立ち上げている。パラペット頂部１ｂでは、防水シート４を敷設する前に、水切り部材５を配置してボルトやビスなどのアンカー部材６でパラペット頂部１ｂに固着する。水切り部材５は図３に示すような断面略Ｌ字形状の部材であり、パラペット頂部１ｂに固着する平板部５ａとパラペット外側壁１ｃに沿って垂下させる水切り片５ｂからなる。また、水切り部材５の上面側には樹脂層などからなる融着層７を介在して加硫ゴムシート８が積層被覆されており、防水シート４との熱融着を可能にするとともに水切り部材５の耐候性を向上させている。
【００２４】
従来、水切り部材と加硫ゴムからなる防水シートを融着するために金属製の水切り部材の表面に融着層が配置されていたが、この融着層は耐候性に劣るところがあり、防水シート４と接合した部分については表面に露出することはないので問題はないが、水切り片５ｂには防水シート４を融着していないので融着層７が露出し、長年使用する間に劣化して外観を悪くしてしまう。防水シート４で水切り片５ｂまでを覆うということも考えられるが、平板部５ａと水切り片５ｂとが形成するＬ字形状に十分な強度を有する程度の厚みを持った防水シートを沿わせるのは困難であり、浮きが発生するという問題がある。
【００２５】
そこで本発明では、水切り部材５に融着層７を介して加硫ゴムシート８を積層被覆して、耐候性を持たせるとともに、防水シート４とも融着ができるようにしている。加硫ゴムシート８は水切り部材５の防水シート４と融着する平板部５ａだけでなく水切り片５ｂの表面にも積層しているので、従来融着層が露出していた部分も加硫ゴムシートで覆われていることになる。
【００２６】
防水シート２、４はエチレン・プロピレン・ジエン・モノマー（ＥＰＤＭ）やブチルゴム（ＩＩＲ）の単体、もしくはそれらのブレンド物を用いることができる。また、その厚みは０．５〜１．５ｍｍの範囲のものを通常用い、０．５ｍｍ未満であると強度が不足して破断などの問題が起こりやすく、１．５ｍｍを超えるとコスト高になること、防水シート同士の接合部の段差が大きくなって外観を損ねるという問題がある。
【００２７】
パラペット頂部１ｂにアンカー部材６で固着した水切り部材５の平板部５ａに、前記パラペット内側壁１ａに沿って立ち上げた防水シート４の端部を重ねて熱融着により接合し、防水シート４は下地に固定される。水切り部材５表面に積層被覆した加硫ゴムシート８に加硫ゴム製の防水シート４を熱融着するには、図４に示すように防水シート４端部の裏面に樹脂製の融着層９を設けておく必要がある。融着層９としては防水シート４との間で熱融着が可能なものであり、且つ、屋外の夏場では６０℃以上の温度になるので、融着層９の融着強度を持たせるために融点が８５℃以上のものであることが好ましい。また、融点が高すぎると十分な熱融着が困難になるので、接合不良の発生を防止するために融着層９の融点は１８０℃以下であることが好ましい。このような融着層９として用いることができる素材として、ポリエチレン、ポリプロピレンなどのポリオレフィン樹脂やエチレン・α−オレフィン共重合体樹脂層からなるオレフィン系熱可塑性エラストマーの他に塩化ビニル樹脂、熱可塑性ウレタン等を挙げることができる。通常３０〜３００μｍ厚みのシートを積層する。厚みが３０μｍ未満であるとシート表面のパターンに融着層９が沿わないなどの原因により熱融着による強度が低くなり、３００μｍを超えると防水シート４との熱収縮率の差により防水シート４におおきなソリが発生するので好ましくない。
【００２８】
この防水シート４と融着層９を積層する方法としては、防水シート４と融着層９を重ね合わせてヒートロールなどにより加熱・加圧することによって積層一体化することができる。また、防水シートを加硫して間もない加熱された状態にて、融着層９を積層して防水シート４を加硫するときの熱を利用して融着する方法でも可能である。この融着層９は防水シート４の全面に積層していてもよいし、防水シートの端部など熱融着する部分のみに積層していてもよい。
【００２９】
本発明において防水シート２、４として用いることができるのは、塩化ビニル樹脂、ポリエチレン樹脂、オレフィン系熱可塑性エラストマー、ウレタンやエチレンプロピレンゴム、ブチルゴムなどのゴムからなる防水シートを挙げることができる。
【００３０】
水切り部材５と加硫ゴムシート８を積層被覆する際に介在させる融着層７も融着層９と同様であり、ポリエチレン、ポリプロピレンなどのポリオレフィン樹脂やエチレン・α−オレフィン共重合体樹脂層からなるオレフィン系熱可塑性エラストマーの他に塩化ビニル樹脂、熱可塑性ウレタン等を挙げることができ、通常３０〜３００μｍ厚みのシートを積層する。
【００３１】
水切り部材５を構成する鋼板は耐食性、耐候性を有したものであることが好ましく、ステンレススチールを用いたり耐食性、耐候性を持たせるために表面を被覆したりしていてもよく、溶融亜鉛メッキ鋼板などを用いることができる。
【産業上の利用可能性】
【００３２】
本発明は、建築物に防水シートを敷設することによって防水を施す際の、パラペットなど下地端部における水切り部材およびそれを用いた防水シート端部の固定構造として用いることができる。
【図面の簡単な説明】
【００３３】
【図１】本発明の防水シート端部の固定構造を示す斜視図である。
【図２】防水シート端部の固定構造の断面図である。
【図３】水切り部材の断面図である。
【図４】防水シートの例を示す断面図である。
【符号の説明】
【００３４】
１    パラペット
１ａ  内側壁
１ｂ  頂部
１ｃ  外側壁
２    防水シート
３    下地
４    防水シート
５    水切り部材
５ａ  平板部
５ｂ  水切り片
６    アンカー部材
７    融着層
８    加硫ゴムシート
９    融着層
Ｒ    平場部
【図１】
2008106599.tif 000003
【図２】
2008106599.tif 000004
【図３】
2008106599.tif 000005
【図４】
2008106599.tif 000006